(57)【要約】【課題】    屋根の雪下ろし作業で、危険な軒先まで進まなくても、安全に且つ、容易に雪下ろしができる。屋根の雪下ろし作業が従来よりも容易である。【解決手段】  柄１と、先端具２と、握具３とを含む全長は、長尺である。柄１は、略直線的に伸びた中空棒状体である。先端具２は、底板部２１と、後立上り部２２と、左右の立上り部２３とが一体に成形されている。底板部２１の平らな部分は、柄１の長手方向の延長線６０を基準にして、柄１の位置から、ある程度大きい高さ６０を有して、段落ちしている。底板部２１の平らな部分は、柄１に対して、柄の長手方向の延長線６０を基準にして、平行であるか若しくは、上下方向のいずれか一方に僅かな角度６２，６３を有している。後立上り部２２および左右の立上り部２３は、底板部２１からそれぞれ上方に向かって立ち上がっている。【選択図】図５
2008038577.tif 000002
【特許請求の範囲】
【請求項１】
柄と、先端具と、握具とを含む雪下ろし具であって、
前記柄と、前記先端具と、前記握具とを含む全長は、長尺であり、
前記柄は、主材料がアルミ合金であって、略直線的に長く伸びた中空棒状体であり、一端に前記先端具が固定されていて、他端に前記握具が固定されており、
前記先端具は、底板部と、後立上り部と、左右の立上り部を有していて、
主材料が、金属板または合成樹脂であり、
前記底板部と、前記後立上り部と、左右の立上り部とが一体に成形されており、
前記底板部は、ほぼ全体にわたって平らな部分を有し、
前記平らな部分の柄に近い後端が、前記柄の長手方向の延長線を基準にして、前記柄の位置から、ある程度大きい高さを有して、段落ちしていて、
さらに、前記底板部は、前記平らな部分が、前記柄に対して、前記柄の長手方向の延長線を基準にして、平行であるか若しくは、前記柄に近い後端から前端に向かって、上下方向のいずれか一方に僅かな角度を有しており、
前記後立上り部は、前記底板部の後端から上方に向かって立ち上がっていて、上端部分に前記柄の端部が位置しており、
前記左右の立上り部は、前記底板部の左右端からそれぞれ上方に向かって立ち上がっており、
前記握具は、握り棒部を有しており、
前記握り棒部は、短い棒状であって、前記柄の長手方向に対して、ほぼ直角を有して位置している
雪下ろし具。
【請求項２】
請求項１に記載した雪下ろし具であって、
前記全長は、２．５ｍ以上４．５ｍ以下であって、
前記ある程度大きい高さは、５０ｍｍ以上であって、
前記僅かな角度は、上下方向にそれぞれ３°以内である
雪下ろし具。
【発明の詳細な説明】
【技術分野】
【０００１】    手作業による屋根の雪下ろしに用いる日用道具に関する。
【背景技術】
【０００２】  従来から、屋根の雪下ろしに用いる日用道具としてスコップ、シャベルなどが用いられている。また地方によっては、屋根の雪下ろし専用に、一枚板で作られていて、長い柄の先が大きなへらまたはしゃもじ形状に加工されたものもある。
スコップ、シャベルなどは、除雪専用ではないので、除雪作業、とりわけ、屋根の雪下ろしには不都合が多々ある。まず、全長が１ｍ前後なので、傾斜した屋根に上り、軒先まで進んで雪を切り崩したり、掬ったり作業をしなければならず、除雪作業に大きな危険が伴う。また、雪を切り取りまたは掬う先端部分が上方向に向かって傾斜が設けられているので、柄を水平または垂直に移動させて、雪に差し込もうとすると、先端部分が真直ぐに雪に突き刺さらず、斜め方向に滑ってしまい、意図する方向に入っていかず、作業がやりにくい。先端部分の傾斜を意識しながら、柄を斜めにしたままで、意図する方向に移動させなければならない。【０００３】  また、従来の専用雪下ろし具は、柄が長い分だけ、スコップ、シャベルよりは、危険な軒先での作業は回避される。ところが、木製の一枚板で作られていて、先端のしゃもじ状部分は、厚みが柄の太さの範囲内に収まっており、平面のみなので、屋根の勾配に沿って雪を押し下げようとしても、雪の中に柄の部分までどんどん潜り込んでしまい、雪を押し下げるには困難が伴う。
また、先端のしゃもじ状部分に掬い取った雪を載せ、屋根の勾配に沿って雪の表面を滑らそうとしても、雪面に先端のしゃもじ状部分を平行にすると、柄の部分まで雪の表面に接触してしまうし、柄の部分を雪面から上に揚げると、しゃもじ状部分が雪に刺さってしまい作業に困難を伴う。また、しゃもじ状部分を雪に挿しこみ、雪を掬い上げるときは、柄の部分としゃもじ状部分の全体を持ち上げるか、または、一方の手を支点にして、もう一方の手を上げまたは下げて、雪を掬ったしゃもじ状部分を雪面の上に揚げる操作が必要である。
また、従来の専用雪下ろし具は、柄そのものが真直ぐな丸棒状のみであり、掴んでいる手から滑り落ちやすく、それが屋根の上であれば、そのまま下の地面まで落ちてしまう危険がある。
また、従来の専用雪下ろし具は、しゃもじ状部分は平面のみであり、掬い取るときに切れが悪いし、掬い取った雪がこぼれ易い欠点もある。
上述のように、スコップ、シャベル、従来の専用雪下ろし具のいずれにしても、慣れが必要であり、危険が多く、力も多く要求される。
【発明の開示】
【発明が解決しようとする課題】
【０００４】  本発明の課題は、屋根の雪下ろし作業で、危険な軒先まで進まなくても、安全に且つ、容易に雪下ろしができる雪下ろし具を提供することである。
本発明のもう一つの課題は、屋根の雪下ろし作業が従来よりも容易である雪下ろし具を提供することである。
【課題を解決するための手段】
【０００５】  本発明に関わる雪下ろし具は、通路や庭先の雪かきを目的としたものではなく、屋根に積もった雪を下ろすことを主目的とする。まして、土を掘ることが主であるスコップ、シャベルとは用途が異なる。また一方、屋根に積もった雪を下ろすのには、汎用スコップ、シャベルでは不便なことが多い。以下に述べるように、本発明に関わる雪下ろし具は、これを解決することを主眼とし、従来の専用雪下ろし具の不具合をも解決せんとするものである。【０００６】  上述した課題を解決するため、本発明に関わる雪下ろし具は、柄と、先端具と、握具とを含む。柄と、先端具と、握具とを含む全長は、長尺である。柄は、主材料がアルミ合金である。また、柄は、略直線的に長く伸びた中空棒状体である。さらに、柄は、一端に先端具が固定されていて、他端に握具が固定されている。先端具は、底板部と、後立上り部と、左右の立上り部を有している。また、先端具は、主材料が、金属板または合成樹脂材料である。さらに、先端具の底板部と、後立上り部と、左右の立上り部とが一体に成形されている。また、底板部は、ほぼ全体にわたって平らな部分を有している。底板部の平らな部分の柄に近い後端は、柄の長手方向の延長線を基準にして、柄の位置から、ある程度の大きい高さを有して、段落ちしている。さらに、底板部の平らな部分は、柄に対して、柄の長手方向の延長線を基準にして、平行であるか若しくは、柄に近い後端から前端に向かって、上下方向のいずれか一方に僅かな角度を有している。後立上り部は、底板部の後端から上方に向かって立ち上がっている。後立上り部の上端部分に柄の端部が位置している。左右の立上り部は、底板部の左右端からそれぞれ上方に向かって立ち上がっている。握具は、握り棒部を有している。握り棒部は、短い棒状であって、柄の長手方向に対して、ほぼ直角を有して位置している。【０００７】  本発明に関わる雪下ろし具は、上述したように、柄と、先端具と、握具とを含む全長は、長尺である。望ましくは、全長は、２．５ｍ以上４．５ｍ以下である。また、柄が、略直線的に長く伸びた中空棒状体なので、軒先近くの積雪にも、屋根の棟の位置にいて除去できる。また、柄の一端に固定された先端具が届く範囲が広いので、軒先近くまで降りずに遠くから離れて軒先近くの積雪を除去できる。棟の位置から軒先の雪に届かず、棟より下がった位置で作業するにしても、軒先近くで作業するよりははるかに安全である。
従来のスコップ、シャベルなどは、全長が１ｍ前後なので、傾斜した屋根に上り、軒先まで進んで雪を切り崩したり、掬ったり作業をしなければならず、除雪作業に大きな危険が伴う。【０００８】  また、屋根の棟に近いところに積もった雪の除去の場合でも、底板部の平らな部分の柄に近い後端が、柄の長手方向の延長線を基準にして、柄の位置から、ある程度の大きい高さを有して、段落ちしているので、掬い取った雪を載せた雪下ろし具の先端具の部分を、屋根の傾斜に沿って雪の上面を滑らすことが容易である。望ましくは、柄に近い後端の段落ちの高さは５０ｍｍ以上である。すなわち、先端具の部分が柄の位置から段差を持った位置にあるので、柄が雪の表面から浮いた状態で雪下ろし具を操作することが出来る。従って、屋根の傾斜に沿って雪の上面を滑らすことが容易である。
従来の専用雪下ろし具は、前に述べたように、屋根の勾配に沿って雪の表面を滑らそうとしても、雪面に先端のしゃもじ状部分を平行にすると、柄の部分まで雪の表面に接触してしまうし、柄の部分を雪面から上に揚げると、しゃもじ状部分が雪に刺さってしまい作業に困難を伴う。【０００９】  次に、屋根の傾斜に沿って、積もった雪を軒先のほうに押し下げる場合であるが、本発明に関わる雪下ろし具は、先端具が、後立上り部と、左右の立上り部を有しているので、積雪に先端部を突き刺したときに、後立上り部が押さえとなって、除去すべき雪を押し下げることが出来る。左右の立上り部もまた一定の幅で雪を切ってくれるので、雪を押し下げることが容易になる。
従来の専用雪下ろし具は、前に述べたように、先端のしゃもじ状部分は、厚みが柄の太さの範囲内に収まっており、平面のみなので、屋根の勾配に沿って雪を押し下げようとしても、雪の中に柄の部分までどんどん潜り込んでしまい、雪を押し下げるには困難が伴う。
従来のスコップ、シャベルなどは、全長が１ｍ前後であり、雪を軒先のほうに押し下げる場合、スコップ、シャベルを持ったまま、足場の悪い屋根の傾斜面を移動しなければならない。【００１０】  また次に、積もった雪の切り取り作業であるが、本発明に関わる雪下ろし具は、底板部の平らな部分が、柄に対して、柄の長手方向の延長線を基準にして、平行であるか若しくは、柄に近い後端から前端に向かって、上下方向のいずれか一方に僅かな角度を有しているだけなので、雪に先端具を差し込む場合に、柄を長手方向の延長線上に押し込むだけで、意図した方向に先端具を差し込むことが出来る。望ましくは、上下方向のいずれか一方に有している僅かな角度は、上下方向にそれぞれ３°以内である。
従来のスコップ、シャベルなどは、雪を切り取りまたは掬う先端部分が上方向に向かって傾斜が設けられているので、柄を水平または垂直に移動させて、雪に差し込もうとすると、先端部分が真直ぐに雪に突き刺さらず、斜め方向に滑ってしまい、意図する方向に入っていかず、作業がやりにくい。【００１１】  また、作業の安全上、柄と、先端具と、握具とを含む全長が長尺であり、略直線的に長く伸びた柄の雪下ろし具を使用するのであるが、柄の後端の握り棒部を掴んで雪の表面から先端具を差し込む場合に、底板部の平らな部分が、柄に対して、ほぼ平行であることは、具合が良い。すなわち、雪面に先端具を差し込むにあたり、先端具の平らな部分を雪面に並行にすると、突き刺すことが出来ないので、先端具の平らな部分を雪面に斜めに向ける必要がある。そのようにすると、当然のことながら、全長が長尺であり、柄は長く伸びているので、後端の握り棒部が上に上がる。この場合、底板部の平らな部分が、柄に対して、ほぼ平行であることによって、後端の握り棒部が上に上がる高さを少なく抑えることが出来る。この目的のためには、底板部の平らな部分は、先下がりが良いのであるが、他の作業上の対応もあり、平行であるか若しくは、柄に近い後端から前端に向かって上下方向のいずれか一方に僅かな角度を有していることが、略直線的に長く伸びた柄の雪下ろし具を効果的なものとしている。
従来のスコップ、シャベルなどは、先端が、柄に対して並行ではなく、やや大きめの先上がりの角度を持っている。従って、柄の長さが同じであれば、先端が柄に対してほぼ平行なものよりも高く上にあがることになり、柄の長さと先上がりの角度によっては、後端の握り棒部を背丈より高く持ち上げても、雪の表面に先端を突き刺すことが出来ないことにもなる。【００１２】  さらに本発明に関わる雪下ろし具は、底板部の平らな部分の柄に近い後端が、柄の長手方向の延長線を基準にして、柄の位置から、ある程度の大きい高さを有して、段落ちしていて、後立上り部が、底板部の後端から上方に向かって立ち上がっていて、後立上り部の上端部分に柄の端部が位置しているので、後立上り部が立ち上がっている底板部の後端を梃子にして柄を下に下げることにより雪を切り取ることも出来る。そのまま柄を前方に推し進めると、底板部が先上がりの状態になるので、底板部が滑り、雪下ろし具を持ち上げやすくなる。
従来の専用雪下ろし具は、前に述べたように、先端のしゃもじ状部分は、厚みが柄の太さの範囲内に収まっており、雪を掬い上げるときに、柄の部分としゃもじ状部分の全体を持ち上げるか、または、一方の手を支点にして、もう一方の手を上げまたは下げて、雪を掬ったしゃもじ状部分を雪面の上に揚げる操作が必要である。【００１３】  最後に、本発明に関わる雪下ろし具は、柄が、アルミ合金であり中空棒状体であり、握具の握り棒部が、柄の長手方向に対して、ほぼ直角を有して位置しているので、軽量で振り回しが楽であり、雪を押し下げるとき力が入れやすいし、握った手から滑り落ちたりする危険性も少ない。
屋根に上らずに、地上からまたは、窓から手を出して軒先の垂れ雪やつららを除去するに際しても、握具をしっかり保持できるし、雪下ろし具の柄が長く、軽量なので、雪下ろし作業が従来に比して容易である。
従来の専用雪下ろし具は、柄そのものが真直ぐな丸棒状のみであり、掴んでいる手から滑り落ちやすく、それが屋根の上であれば、そのまま下の地面まで落ちてしまう危険がある。【００１４】  余分なことではあるが、高度化と省力化をハイテクに求めて進むなか、技術レベルは低くても、地道に、日常使用する昔からある道具を見直して活用し、人力で出来ることは人力でやり、エネルギー消費の節減を計ることもまた重要なことである、という意味での効果も高いのではなかろうか。
【発明の効果】
【００１５】本発明に係る雪下ろし具は、以下に示す効果を有している。
１  屋根の雪下ろし作業で、危険な軒先まで進まなくても、安全に且つ、容易に雪下ろしができる。
２  屋根の雪下ろし作業が従来よりも容易である。
【発明を実施するための最良の形態】
【００１６】  図１は、本発明に係る雪下ろし具の上面図である。
図２は、図１に示した雪下ろし具の側面図である。
上述した課題を解決するため、本発明に関わる雪下ろし具は、柄１と、先端具２と、握具３とを含む。柄１と、先端具２と、握具３とを含む全長は、長尺である。柄１は、主材料がアルミ合金である。また、柄１は、略直線的に長く伸びた中空棒状体である。さらに、柄１は、一端に先端具２が固定されていて、他端に握具３が固定されている。また、柄１の握具３に近い側に滑止具４が装着されている。
雪下ろし具の長さは、先端具２の先から握具３の先までの全長が、２．５ｍから４．５ｍであることが望ましく、屋根の傾斜面の長さや角度、また屋根の材料、使用する人の好みによって使い分けられる。柄１が、略直線的に長く伸びた中空棒状体なので、軒先近くの積雪にも、屋根の棟の位置にいて除去できる。また、柄の一端に固定された先端具２が届く範囲が広いので、軒先近くまで降りず遠くから離れて軒先近くの積雪を除去できる。棟の位置から積雪に届かず棟より下がった位置で作業するにしても、軒先近くで作業するよりははるかに安全である。【００１７】  図３は、図１に示した雪下ろし具で、先端具２を主とした部分を拡大した上面図である。説明の都合上、図の方向を９０度回転して示してある。
先端具２は、底板部２１と、後立上り部２２と、左右の立上り部２３を有している。また、先端具２は、主材料が、金属板または合成樹脂材料である。さらに、先端具２の底板部２１と、後立上り部２２と、左右の立上り部２３とが一体に成形されている。また、底板部２１は、ほぼ全体にわたって平らな部分を有している。先端具２の上面に、柄１の延長線６０に沿って、底板補強部２４が設けられている。底板補強部２４に連接して先端具取付部２５が設けられている。先端具取付部２５に柄１が挿入されていて、固定ねじ５で、先端具取付部２５と柄１が固定されている。固定ねじ５は、貫通させたボルトにナット掛けして止めてもよい。長さの異なる柄１を用意し、必要に応じ柄１を取り替えて使用することができる。また、先端具２は、底板部２１、後立上り部２２、左右の立上り部２３、底板補強部２４および先端具取付部２５が一体に成形されている。参照符号２１１は、底板部２１の柄１に近い後端を示し、参照符号２１２は、前端を示す。また参照符号２１３は、底板部２１の左右端を示す。【００１８】  図４は、図３に示した雪下ろし具の先端具を主とした部分の側面図である。図１乃至３に現れた構成部分と同一の構成部分については、同一の参照符号を付してある。
図５は、図３のＡ−Ａ線に沿った断面図である。図１乃至４に現れた構成部分と同一の構成部分については、同一の参照符号を付してある。
底板部２１の平らな部分の後端２１１は、柄１の長手方向の延長線６０を基準にして、柄１の下面１１の位置から、高さ６１を有して、段落ちしている。この高さ６１は、５０ｍｍ以上が望ましい。底板部２１の平らな部分の後端２１１が、柄の長手方向の延長線６０を基準にして、柄１の位置から、高さ６１を有して、段落ちしているので、屋根の棟に近いところに積もった雪の除去の場合でも、掬い取った雪を載せた雪下ろし具の先端具２の部分を、屋根の傾斜に沿って雪の上面を滑らすことが容易である。すなわち、先端具２の部分が柄１の位置から段差を持った位置にあるので、柄１が雪の表面から浮いた状態で雪下ろし具を操作することが出来、屋根の傾斜に沿って雪の上面を滑らすことが容易である。【００１９】  また、底板部２１の平らな部分は、柄１に対して、柄の長手方向の延長線６０を基準にして、平行であるか若しくは、柄１に近い後端２１１から前端２１２に向かって、上下方向のいずれか一方に僅かな角度６２，６３を有している。本来、平行が望ましいが、この僅かな角度６２，６３が、それぞれ３°以下であれば支障はない。底板部２１の平らな部分が、柄１に対して、柄１の長手方向の延長線６０を基準にして、平行であるか若しくは、柄に近い後端２１１から前端２１２に向かって、上下方向のいずれか一方に僅かな角度６２，６３を有しているだけなので、雪に先端具２を差し込む場合に、柄１を長手方向の延長線６０上に押し込むだけで、意図した方向に先端具２を差し込むことが出来る。【００２０】  さらに、後立上り部２２は、底板部２１の一端、即ち、柄１に近い後端２１１から上方に向かって立ち上がっている。後立上り部２２の上端部分２２１に柄１の端部が位置している。
底板部２１の平らな部分の後端２１１が、柄１の長手方向の延長線６０を基準にして、柄１の位置から、高さ６１を有して、段落ちしていて、後立上り部２２が、底板部２１の一端２１１から上方に向かって立ち上がっていて、後立上り部２２の上端部分２２１に柄１の端部が位置しているので、後立上り部２２が立ち上がっている底板部２１の後端２１１を梃子にして柄１を下に下げることにより雪を切り取ることも出来る。そのまま柄１を前方に推し進めると、底板部２１が先上がりの状態になるので、底板部２１が滑り、雪下ろし具を持ち上げやすくなる。【００２１】  図６は、本発明に係る雪下ろし具の、使用時の状態を説明するための、縮小した側面図である。図１乃至５に現れた構成部分と同一の構成部分については、同一の参照符号を付してある。
作業の安全上、柄１と、先端具２と、握具３とを含む全長が長尺であり、略直線的に長く伸びた柄１の雪下ろし具を使用するのであるが、柄１の後端の握具３を掴んで雪の表面から先端具２を差し込む場合に、先端具２の平らな部分が、柄１に対して、ほぼ平行であることは、具合が良い。すなわち、雪面に先端具２を差し込むにあたり、底板部２１の平らな部分を、雪面７に並行にすると突き刺すことが出来ないので、底板部２１の平らな部分を雪面７に斜めに向ける必要がある。そのようにすると、当然のことながら、全長が長尺であり、柄１は長く伸びているので、後端の握具３が高く上がる。
例を挙げると、雪下ろし具の全長が４ｍの場合、水平な屋根の雪面７に３０度の角度６４で突き刺そうとすると、後端の握具３が雪面から高さ６５が２ｍも高く上がることになる。屋根の傾斜が強くなればなるほど、この高さ６５は大きくなる。従来のスコップ、シャベルのように先端が先上がりになっていて、その角度が柄に対して２０度の場合は、柄１を雪面７に５０度の角度にして突き刺すことになり、後端の握り棒部が雪面７から高さ６５が３ｍも高く上がることになる。本発明に係る雪下ろし具の場合、底板部２１の平らな部分が、柄１に対して、ほぼ平行であることによって、後端の握具３が上に上がる高さを少なく抑えることが出来る。この目的のためには、底板部２１の平らな部分は、先下がりが良いのであるが、他の作業上の対応もあり、平行であるか若しくは、柄に近い後端２１１から前端２１２に向かって、上下方向のいずれか一方に僅かな角度を有していることが、略直線的に長く伸びた柄の雪下ろし具を効果的なものとしている。【００２２】  図７は、本発明に係る雪下ろし具の、拡大した正面図である。図１乃至６に現れた構成部分と同一の構成部分については、同一の参照符号を付してある。
図８は、図３のＢ−Ｂ線に沿った断面図である。図１乃至７に現れた構成部分と同一の構成部分については、同一の参照符号を付してある。
左右の立上り部２３は、底板部２１の左右端２１３からそれぞれ上方に向かって立ち上がっている。底板補強部２４は、底板部２１の上面に、柄１の延長線に沿って設けられていて、使用時に、底板部２１に反り曲がりなどが生じるのを防止している。先端具２が、後立上り部２２と、左右の立上り部２３を有しているので、屋根の傾斜に沿って、積もった雪を軒先のほうに押し下げるために、積雪に先端部２を突き刺したときに、後立上り部２２があるのでこれが押さえとなって、除去すべき雪を押し下げることが出来る。左右の立上り部２３もまた一定の幅で雪を切ってくれるので、雪を押し下げることが容易になる。【００２３】  図９は、図１に示した雪下ろし具で、握具３を主とした部分を拡大した上面図である。説明の都合上、図を９０度回転して示してある。図１乃至８に現れた構成部分と同一の構成部分については、同一の参照符号を付してある。
握具３は、握り棒部３１を有している。握り棒部３１は、短い棒状であって、柄の長手方向の延長線６０に対して、ほぼ直角を有して位置している。握り棒部３１は、木や金属の丸棒でも、図示はしないが、握りやすいように指に沿った凹凸をつけた合成樹脂成形品でも良い。握具接続部３３は、固定ねじ５で柄１と固定されている。握つなぎ部３２は、握具接続部３３と握り棒部３１を連結していて、指挿入口３４を形成している。滑止具４はゴム系、合成樹脂系の材料で作られ、柄１に巻きつけられ、あるいは被せられている。
雪下ろし具は、柄１が、アルミ合金であり中空棒状体で軽量であり、握具３の握り棒部３１が、柄１の長手方向に対して、ほぼ直角を有して位置していて、滑止具４も備えており、振り回しが楽であり、雪を押し下げるとき力が入れやすいし、握った手から滑り落ちたりする危険性も少ない。
屋根に上らずに、地上からまたは、窓から手を出して軒先の垂れ雪やつららを除去するに際しても、握具３をしっかり保持できるし、雪下ろし具の柄が長く、軽量なので、雪下ろし作業が従来に比して容易である。
【図面の簡単な説明】
【００２４】
【図１】  本発明に係る雪下ろし具の上面図である。
【図２】  図１に示した雪下ろし具の側面図である。
【図３】  図１に示した雪下ろし具で、先端具２を主とした部分を拡大した上面図である。
【図４】  図３に示した雪下ろし具の先端具を主とした部分の側面図である。
【図５】  図３のＡ−Ａ線に沿った断面図である。
【図６】  本発明に係る雪下ろし具の、使用時の状態を説明するための、縮小した側面図である。
【図７】  本発明に係る雪下ろし具の、拡大した正面図である。
【図８】  図３のＢ−Ｂ線に沿った断面図である。
【図９】  図１に示した雪下ろし具で、握具３を主とした部分を拡大した上面図である。
【符号の説明】
【００２５】  １            柄
２            先端具
３            握具
４            滑止具
５            固定ねじ
２１          底板部
２２          後立上り部
２３          左右立上り部
３１          握り棒部
【図１】
2008038577.tif 000003
【図２】
2008038577.tif 000004
【図３】
2008038577.tif 000005
【図４】
2008038577.tif 000006
【図５】
2008038577.tif 000007
【図６】
2008038577.tif 000008
【図７】
2008038577.tif 000009
【図８】
2008038577.tif 000010
【図９】
2008038577.tif 000011